(57)【要約】【課題】  工場における各部材の加工管理状況の優良さを効率良くわかり易く説明することができ、かつ、印象付けることができる加工管理解説装置を提供する。【解決手段】  住宅建物５を構成する各構造材５１の生産ライン２の横に、階段３１と通路３２とステージ３３とを有するデッキ３が設けられ、このデッキ３のステージ３３上には、生産管理装置２０からの情報を表示するモニター４が設けられ、生産ライン２は、前記ステージ３３から見下ろした一方に原材料が通過し、他方に完成品が通過するように搬送ラインＡが配置され、モニター４は、現在生産中の構造材５１を用いた住宅建物５を三次元表示し、この三次元表示された住宅建物５の構造材５１のうち、原材料の加工工程と完成品の加工工程とで加工している構造材５１をそれぞれ異なった色で表示するとともに、表示切り替えによって構造材５１を拡大表示するようになされた加工管理解説装置１。【選択図】  図１
2006172285.tif 000002
【特許請求の範囲】
【請求項１】
住宅建物を構成する各構造材の原材料が複数の加工工程を経て完成品へと生産加工されるようになされた構造材の生産ラインにおいて、
生産ライン横には、階段によって昇降可能となされ、生産ラインを上方から見渡すことができるようになされた通路と、この通路から生産ラインに干渉することなく、この生産ライン側に張り出すようになされたステージとを有するデッキが設けられ、このデッキのステージ上には、生産管理装置からの情報を表示するモニターが設けられるとともに、生産ラインは、前記ステージから見下ろした一方に原材料が通過し、他方に完成品が通過するように搬送ラインが配置されてなり、モニターは、現在生産中の構造材を用いた住宅建物を三次元表示するとともに、この三次元表示された住宅建物のどの部位の構造材が、原材料の加工工程と完成品の加工工程とで加工しているのかそれぞれの構造材を異なった色で表示するようになされ、かつ、表示切り替えによって、これらの構造材のみを拡大表示するようになされたことを特徴とする加工管理解説装置。
【発明の詳細な説明】
【技術分野】
【０００１】
本発明は、工場における部材加工の管理状況をわかり易く説明するための解説装置に関するものである。
【背景技術】
【０００２】
安心して住める信頼性の高い住宅建物を提供するために、住宅建物を構成する各部材は、工場において効率良く、かつ、高精度に加工して生産されている。
【０００３】
従来より、このような各部材の加工管理状況の優良さは、住宅建物のカタログに紹介したり、展示住宅に訪れた購入予定者に、口頭で説明したりしていた。そして、この説明によって、信頼性の高い住宅建物であることを理解してもらっていた。
【発明の開示】
【発明が解決しようとする課題】
【０００４】
しかし、加工管理状況の優良さをカタログに紹介したり口頭で説明したりすることは、近頃ではどのような商品についても行われているので、その加工管理状況の程度の違いについては、充分に説明することが難しい。したがって、展示住宅に訪れた購入予定者にとっては、加工管理状況の優良さを充分に理解することが難しい。
【０００５】
また、加工管理状況の優良さを説明し、かつ、理解してもらうことができたとしても、その説明を効率良く行い、しかも理解した購入予定者に強く印象付けることは難しい。
【０００６】
そのため、実際に住宅建物を構成する各部材の製造工場を見学することで、このような加工管理状況の優良さを理解することが考えられるが、このような各部材の製造工場は、各部材の製造が主体であって、見学を前提として構成されたものではないため、見学したからと言って必ずしも加工管理状況を理解することができるものではないといった不都合を生じる。特に、加工管理は、コンピューターなどを駆使して自動で行っているため、製造工場を見学しても、その管理体制まで理解することは難しい。
【０００７】
本発明は、係る実情に鑑みてなされたものであって、工場における各部材の加工管理状況の優良さを効率良くわかり易く説明することができ、かつ、印象付けることができる加工管理解説装置を提供することを目的としている。
【課題を解決するための手段】
【０００８】
上記課題を解決するための本発明の加工管理解説装置は、住宅建物を構成する各構造材の原材料が複数の加工工程を経て完成品へと生産加工されるようになされた構造材の生産ラインにおいて、生産ライン横には、階段によって昇降可能となされ、生産ラインを上方から見渡すことができるようになされた通路と、この通路から生産ラインに干渉することなく、この生産ライン側に張り出すようになされたステージとを有するデッキが設けられ、このデッキのステージ上には、生産管理装置からの情報を表示するモニターが設けられるとともに、生産ラインは、前記ステージから見下ろした一方に原材料が通過し、他方に完成品が通過するように搬送ラインが配置されてなり、モニターは、現在生産中の構造材を用いた住宅建物を三次元表示するとともに、この三次元表示された住宅建物のどの部位の構造材が、原材料の加工工程と完成品の加工工程とで加工しているのかそれぞれの構造材を異なった色で表示するようになされ、かつ、表示切り替えによって、これらの構造材のみを拡大表示するようになされたものである。
【発明の効果】
【０００９】
以上述べたように、本発明によれば、工場における住宅建物を構成する各部材の加工管理状況の優良さを、わかり易く説明することができる。
【発明を実施するための最良の形態】
【００１０】
以下、本発明の実施の形態を図面を参照して説明する。
【００１１】
図１は加工管理解説装置１の全体構成の概略を示し、図２はこの加工管理解説装置１の生産ライン２を制御する生産管理装置２０のシステム構成図示し、図３はデッキ３を示し、図４はモニター４の画面表示の概略を示している。
【００１２】
すなわち、この加工管理解説装置１は、生産ライン２の横にデッキ３が設けられ、デッキ３上のモニター４に生産管理装置２０からの加工管理情報を表示するようになされている。
【００１３】
生産ライン２は、住宅建物５を構成する各構造材５１を原材料から完成品へと加工するようになされており、原材料の搬入場所２９から７ヶ所あるそれぞれの加工装置２１，２２，２３，２４，２５，２６，２７で各加工を行った後、完成品置き場２８へと完成した各構造材５１を搬出するようになされている。この生産ライン２は、原材料が最初に加工される加工装置２１と、略完成品に近い状態で最後に加工される最後の加工装置２７とが隣合うように、各加工装置２１，２２，２３，２４，２５，２６，２７の搬送ラインＡが略Ｕ字状に配置されている。
【００１４】
この生産ライン２をコントロールする製造管理装置２０は、図２に示すように、最適展開システム２０ａ、加工指示システム２０ｂ、進捗管理システム２０ｃ、表示システム２０ｄから構成されている。
【００１５】
この製造管理装置２０の最適展開システム２０ａには、住宅建物５の一邸分毎に、製造しなければならない各構造材５１のＣＡＤデータが供給される。このＣＡＤデータは、最適加工処理され、７ヶ所あるそれぞれの加工装置２１，２２，２３，２４，２５，２６，２７に対し、加工形状、加工箇所のデータから加工時間を算出するとともに、最も効率が良くなる生産工程を算出して製造データへと変換される。そして、この製造データに基づいて、加工指示システム２０ｂから各加工装置２１，２２，２３，２４，２５，２６，２７に加工指示が行われる。この際、各加工装置２１，２２，２３，２４，２５，２６，２７による進捗状況は、進捗管理システム２０ｃによって逐次管理され、加工実績としてデータベース化される。この加工実績は、次回にＣＡＤデータを最適加工処理する際に利用される。また、進捗状況の管理情報を基に、表示システム２０ｄは、モニター４に、現在製造している住宅建物５の三次元画像を表示したり、構造材５１を拡大表示したりすることができるようになされている。
【００１６】
デッキ３は、図３に示すように、階段３１と通路３２とステージ３３とから構成されており、上記生産ライン２の搬入場所２９および完成品置き場２８と対向する一側寄りの位置に設けられる。
【００１７】
このデッキ３は、生産ライン２で製造されている構造材５１と同材質の集成材によって構成されている。階段３１は、上記生産ライン２の搬入場所２９と完成品置き場２８とにそれぞれ対向する位置に設けられており、これら階段３１間が通路３２で連絡されている。すなわち、一方の階段３１を上がって通路３２を通過し他方の階段３１から降りるように構成されており、通路３２を通過することで、生産ライン２の全体を見下ろして見学することができるようになされている。また、通路３２の途中には、生産ライン２の各加工装置２１，２２，２３，２４，２５，２６，２７や搬送ラインＡに干渉しないように、案内用のステージ３３が生産ライン２側に膨出するように設けられている。このステージ３３は、生産ライン２の加工装置２１と加工装置２７との間に割り込むような形で設けられており、ステージ３３上から生産ライン２を見下ろした際に、一方に加工装置２１での加工が容易に見渡すことができ、他方に加工装置２７での加工が容易に見渡すことができるようになされている。
【００１８】
モニター４は、上記デッキ３のステージ３３に設けられ、現在製造している住宅建物５の三次元画像を文字情報とともに表示できるようになされている。
【００１９】
この三次元画像は、図４（ａ）に示すように、加工装置２１と、加工装置２７とで現在加工している構造材５１を別色表示するようになされている。また、モニター４は、表示切り替えすることで、図４（ｂ）に示すように、この別色表示された構造材５１のみを拡大図面と文字情報とで表示することができるようになされている。この表示切り替えは、モニター４に別色表示された構造材５１の部分を触れることで切り替えるようになされたものであってもよいし、モニター４に設けられたスイッチ（図示省略）を操作することによって切り替えるようになされたものであってもよい。
【００２０】
次に、この加工管理解説装置１の使用方法について説明する。
【００２１】
まず、工場の案内員は、見学に訪れた住宅建物５の購入予定者を、デッキ３の階段３１から通路３２を通ってステージ３３へと案内する。案内後、生産ライン２の概要を説明する。この際、ステージ３３は、生産ライン２の加工装置２１と加工装置２７との間に割り込むような形で設けているので、生産ライン２を見下ろした際に、一方には、まだ原材料に近い状態の加工装置２１での加工が容易に見渡すことができ、他方には、略完成品に近い状態の加工装置２７での加工が容易に見渡すことができ、生産ライン２の要点を高率良く説明することができる。
【００２２】
この生産ライン２の説明と並行して、案内員は、購入予定者にモニター４を見せる。この際、モニター４には、現在製造している住宅建物５の三次元画像の中に、加工装置２１で加工されている構造材５１と、加工装置２７で加工されている構造材５１とが別色表示されているので、これら加工装置２１，２７での加工状況と、その加工管理をしっかりと行っていることを容易に伝えることができる。
【００２３】
また、別色表示されている構造材５１を拡大表示に切り替えることで、加工装置２１，２７で加工している構造材５１が誰の家のどのような箇所に用いられている部材でどのような箇所に加工をしようとしているのか等の詳細を容易に説明して理解してもらうことができる。
【００２４】
このように、本発明の加工管理解説装置１によると、案内員は、住宅建物の購入予定者に対して生産ライン２の要点を高率良く説明しながら加工管理体制が優れている点を理解してもらうことができる。
【産業上の利用可能性】
【００２５】
住宅建物の販売促進を図る装置として利用できる。
【図面の簡単な説明】
【００２６】
【図１】本発明に係る加工管理解説装置の全体構成の概略を示す平面図である。
【図２】本発明に係る加工管理解説装置の製造管理装置のシステム構成の概略を示すブロック図である。
【図３】本発明に係る加工管理解説装置のデッキの全体構成の概略を示す斜視図である。
【図４】本発明に係る加工管理解説装置のモニター画面表示を示す概略図である。
【符号の説明】
【００２７】
１  加工管理解説装置
２  生産ライン
２０  生産管理装置
３  デッキ
３１  階段
３２  通路
３３  ステージ
４  モニター
５  住宅建物
５１  構造材
Ａ  搬送ライン
【図１】
2006172285.tif 000003
【図２】
2006172285.tif 000004
【図３】
2006172285.tif 000005
【図４】
2006172285.tif 000006